(57)【要約】【課題】皮膚から剥がれ難い貼付剤を提供する【解決手段】貼付剤１は、支持基材２と、支持基材２の一方面に積層された水性ゲル３と、水性ゲル３を覆う剥離フィルム４と、を備え、支持基材２及び剥離フィルム４の外周縁同士が全周にわたって接合されており、水性ゲル３は、少なくとも支持基材２及び剥離フィルム４の接合部５側の一部分において水性ゲル３の厚みが接合部５に向かうに連れて徐々に小さくなっている。【選択図】図２
2019208691.tif 000002
【特許請求の範囲】
【請求項１】
支持基材と、前記支持基材の一方面に積層された水性ゲルと、前記水性ゲルを覆う剥離フィルムと、を備え、
前記支持基材及び前記剥離フィルムの一方の外周縁の少なくとも一部分が前記支持基材及び前記剥離フィルムの他方に接合されており、前記水性ゲルは、少なくとも前記支持基材及び前記剥離フィルムの接合部側の一部分において前記水性ゲルの厚みが前記接合部に向かうに連れて徐々に小さくなっている、貼付剤。
【請求項２】
前記支持基材及び前記剥離フィルムは、平面視矩形状を呈しており、対向する一対の辺同士が接合されている、請求項１に記載の貼付剤。  
【請求項３】
前記水性ゲルの水分含有量が６０重量％以上９５重量％以下である、請求項１又は２に記載の貼付剤。
【請求項４】
前記支持基材は、不織布である、請求項１〜３のいずれか一項に記載の貼付剤。
【請求項５】
前記不織布がポリエチレンテレフタレート樹脂繊維からなり、前記剥離フィルムがポリオレフィン系樹脂からなる、請求項４に記載の貼付剤。
【発明の詳細な説明】
【技術分野】
【０００１】
本発明は、人の皮膚に貼り付けて使用される貼付剤に関する。
【背景技術】
【０００２】
この種の貼付剤として、例えば、発熱・頭痛や歯痛、炎症時の患部の冷却や、顔等の火照りの冷却、またスポーツ後の筋肉のクールダウン等のために、パップ剤や冷却剤等が従来から使用されており、図４に示すように、支持基材１０１上に水性ゲル１０２が積層されるとともに水性ゲル１０２を剥離フィルム１０３で覆った構造のものが一般に知られている
【０００３】
この従来の貼付剤１００は、例えば特許文献１に示されるように、長尺の支持基材上に水性ゲルを塗布した後にその表面に長尺の剥離フィルムを重ね合わせた帯状の貼付剤シートを、切断刃により所定のサイズに切断することで製造される。特許文献１では、貼付剤シートを切断刃により個々の所定サイズの貼付剤に切断する前に、貼付剤シートの切断位置をプレス加工することにより当該切断位置の水性ゲルを押し出して排除する筋付けを行っている。これにより、切断後の貼付剤の端面（切断面）に水性ゲルが露出することを防止している。
【先行技術文献】
【特許文献】
【０００４】
【特許文献１】特許第４２４５３４３公報
【発明の概要】
【発明が解決しようとする課題】
【０００５】
従来の貼付剤１００は、上述した筋付けにより外周縁付近に水性ゲル１０２が存在しない。そのため、図５に示すように、貼付剤１００は、水性ゲル１０２が有する粘着性により支持基材１０１が使用者の皮膚Ｓに貼り付けられるが、外周縁付近に水性ゲル１０２が存在しないと、支持基材１０１の外周縁が捲れ上がり、貼付剤１００が皮膚Ｓから容易に剥がれ易くなる。
【０００６】
本発明は、上記課題を解決するためになされたものであり、皮膚から剥がれ難い貼付剤を提供することを目的とする。
【課題を解決するための手段】
【０００７】
本発明の貼付剤は、支持基材と、前記支持基材の一方面に積層された水性ゲルと、前記水性ゲルを覆う剥離フィルムと、を備え、前記支持基材及び前記剥離フィルムの一方の外周縁の少なくとも一部分が前記支持基材及び前記剥離フィルムの他方に接合されており、前記水性ゲルは、少なくとも前記支持基材及び前記剥離フィルムの接合部側の一部分において前記水性ゲルの厚みが前記接合部に向かうに連れて徐々に小さくなっていることを特徴とする。
【０００８】
本発明の貼付剤においては、前記支持基材及び前記剥離フィルムは、平面視矩形状を呈しており、対向する一対の辺同士が接合されていることが好ましい。
【０００９】
また、本発明の貼付剤においては、前記水性ゲルの水分含有量が６５重量％以上９０重量％以下であることが好ましい。
【００１０】
また、本発明の貼付剤においては、前記支持基材は、不織布であることが好ましい。
【００１１】
また、本発明の貼付剤においては、前記不織布がポリエチレンテレフタレート樹脂繊維からなり、前記剥離フィルムがポリオレフィン系樹脂からなることが好ましい。
【００１２】
なお、本発明の貼付剤においては、前記支持基材及び前記剥離フィルムの外周縁同士が全周にわたって接合されていることが好ましい。
【発明の効果】
【００１３】
本発明の貼付剤によれば、支持基材及び剥離フィルムの一方の外周縁の少なくとも一部分が他方に接合されており、水性ゲルは、この接合部近傍の部分においては、水性ゲルの厚みが接合部に向かうに連れて徐々に小さくなっている。そのため、剥離フィルムを剥がし露出した水性ゲルを使用者の皮膚に当てて貼付剤を貼り付けた際に、貼付剤の当該外周縁では支持基材が水性ゲルを包むような形となって、支持基材の外周縁が使用者の皮膚から浮かずにくっついた状態で水性ゲルの粘着性により皮膚に接着する。よって、支持基材の外周縁が捲れ上がることを抑制することができるので、貼付剤を皮膚から剥がれ難くすることができる。
【図面の簡単な説明】
【００１４】
【図１】本発明の一実施形態に係る貼付剤の平面図である。
【図２】図１のＡ−Ａ線に沿う縦断面の概略構成を示す断面図である。
【図３】貼付剤を皮膚に貼り付けた時の状態を示す説明図である。
【図４】従来例の貼付剤の縦断面の概略構成を示す断面図である。
【図５】従来例の貼付剤を皮膚に貼り付けた時の状態を示す説明図である。
【発明を実施するための形態】
【００１５】
以下、本発明の貼付剤の実施形態について添付図面を参照して説明する。本発明の貼付剤は、人の皮膚に貼り付けて使用されるものであり、例えば発熱・頭痛や歯痛、炎症時の患部の冷却や、顔等の火照りの冷却、またスポーツ後の筋肉のクールダウン等のために用いられるシート状の冷却剤を例示することができる。
【００１６】
図１及び図２は、本実施形態の貼付剤１を示す。貼付剤１は、支持基材２と、水性ゲル３と、剥離フィルム４とを少なくとも備え、これらが積層された層構造を有している。貼付剤１は、使用前は、複数重ねられた状態で包装袋（図示せず）内に収納されている。また、使用時には、貼付剤１は、包装袋から取り出され、剥離フィルム４を支持基材２から剥がした後、露出した水性ゲル３を皮膚の冷却対象部位に直接あてることで、水性ゲル３が有する粘着性により使用者の皮膚に貼り付けられる。これにより、水性ゲル３に含まれた水分が時間の経過に伴い蒸発し、その際に奪われる気化熱で水性ゲル３の温度が低下するため、水性ゲル３に接する皮膚が冷却される。
【００１７】
貼付剤１の厚み及び大きさは、特に限定されるものではなく、目的や冷却対象部位に応じて厚み及び大きさを適宜設定することができる。また、貼付剤１の外形も、特に限定されるものではなく、本実施形態では平面視長方形状であるが、正方形状、円形状、楕円形状などの他の種々の形状とすることができる。
【００１８】
支持基材２は、水性ゲル３をその一方面上で支持する。支持基材２は、透湿性や通気性を有していて、水性ゲル３を担持できるものであれば、その素材は特に限定されるものではなく、種々の織布、不織布及びフィルム等で形成することができる。支持基材２の素材として織布や不織布を使用する場合には、綿、麻、羊毛等の天然繊維；レーヨン、アセテート等のセルロース系繊維；ナイロン、ビニロン、スチロール、ポリプロピレン、ポリエチレン、ポリエチレンテレフタレート、アクリル等の合成樹脂繊維等を例示することができる。また、支持基材２の素材としてフィルムを使用する場合には、ポリスチレン（スチロール）、ポリプロピレン、ポリエチレンテレフタレート、ポリエチレン等を例示することができる。
【００１９】
支持基材２の厚みは、特に限定されるものではないが、使用感、貼付部位への馴染み易さ等の観点から、０．１ｍｍ以上３．０ｍｍ以下であることが好ましく、０．５ｍｍ以上２．０ｍｍ以下であることがより好ましい。
【００２０】
支持基材２は、貼り付けられる身体の様々な貼付部位にフィットして馴染むように適度な伸縮性を有することが好ましい。伸縮性の程度は、特に限定されるものではなく、また、伸縮方向も、支持基材２の一方向（長手方向）のみを伸縮可能、前記一方向に直交する他方甲（幅方向）のみを伸縮可能、又は、前記一方向（長手方向）及び前記他方向（幅方向）ともに伸縮可能としてもよいが、両方向に伸縮可能であることが好ましい。
【００２１】
水性ゲル３は、支持基材２の一方面に積層して形成される。水性ゲル３としては、皮膚への適合性のある種々のものを用いることができる。
【００２２】
水性ゲル３の厚みは、特に限定されるものではないが、冷却力、皮膚に貼り付けた時の感触、皮膚に対する貼り付け状態の維持等の観点から、適度に大きいことが好ましい。例えば、支持基材２の中心位置における厚みＤＣが０．１ｍｍ以上２０ｍｍ以下であることが好ましく、１．０ｍｍ以上１０ｍｍ以下であることがより好ましい。なお、水性ゲル３の厚みは、ＪＩＳ  Ｌ１９１３：２０１０の「６．１  厚さ（ＩＳＯ法）」に記載されている方法を用いて計測することができる。
【００２３】
また、水性ゲル３の厚みは、少なくとも支持基材２の外周縁に近い部分（後述する支持基材２に剥離フィルム４が接合された接合部５側の一部分）において、支持基材２の外周縁（接合部５）に向かうに連れて徐々に小さくなっている。すなわち、水性ゲル３は、その縦断面視において、少なくとも接合部５近傍の外周縁部分が先細りとなっている。なお、水性ゲル３は、少なくとも接合部５側の一部分において接合部５に向かうに連れて厚みが徐々に小さくなっていれば、その縦断面視で、図２に示すように、剥離フィルム４側に向けてドーム状に隆起する形状を呈していてもよいし、図示は省略するが、剥離フィルム４側に向けて中央部分が平坦又は略平坦な略台形状に隆起する形状を呈していてもよく、また、支持基材側２に向けてドーム状又は略台形状に隆起する形状を呈していてもよいし、さらに、支持基材側２及び剥離フィルム４側に向けてドーム状又は略台形状に隆起する形状を呈していてもよい。
【００２４】
水性ゲル３は、抱水性、放湿性、自己保形性又は粘着性を有する。「抱水性」とは、内部に水を安定的に含む性質を意味するが、より好ましくはさらに圧縮しても含有水分を滲出しない性質を意味する。また「自己保形性」とは、流動性や崩壊性を顕著には生じず形状を保持している性質を意味する。
【００２５】
水を含んでかかる性質を奏し得る成分としては、一般にゲル化剤として用いられる天然高分子多糖類を例示することができる。具体的には、カラギーナン、アルギン酸、アルギン酸プロピレングリコールエステル、タラガム、ローカストビーンガム、グルコマンナン、キサンタンガム、ジェランガム、ペクチン、プルラン、グァーガム、サイリウムシードガム、アルギン酸ナトリウム、マンナン、ゼラチン、寒天等の天然ガム類を例示することができる。これらは単独若しくは２種以上の組み合わせて用いることができる。好ましくはグルコマンナン、ローカストビーンガムを例示することができる。 
【００２６】
ゲル化剤としては、上述した天然高分子多糖類以外に、ポリアクリル酸、ポリメタアクリル酸、ポリアクリル酸の塩、ポリメタアクリル酸の塩等を例示することができる。これらは単独若しくは２種以上の組み合わせて用いることができる。
【００２７】
水性ゲル３は、その他の成分として、多価アルコール、界面活性剤、防腐剤、保存剤、安定剤、香料、着色料、ｐＨ調整剤、リモネン、カンフル、ハッカ油又はｌ−メントール等の清涼化剤、保湿剤、刺激剤、除菌剤、抗菌剤、粘着付与剤、保型剤、増粘剤等、公知の添加剤を含有していてもよい。
【００２８】
水性ゲル３は、所望の冷却力を持続的に発揮するために、十分な量の水分を含んでいることが好ましく、水性ゲル３の水分含有量としては、水性ゲル３を構成する組成物中、６０重量％以上であることが好ましく、７０重量％以上であることがより好ましい。また、水性ゲル３の水分含有量の上限は、自己保形性の観点から、９５重量％以下であることが好ましく、９０重量％以下であることがより好ましい。
【００２９】
剥離フィルム４は、貼付剤１の使用前に水性ゲル３を覆っており、剥離フィルム４により、貼付剤１の取り扱い性や衛生面の向上を図ることができる。剥離フィルム４は、水性ゲル３を被覆できるものであれば、その素材は特に限定されるものではなく、ポリプロピレン、ポリエチレン、ポリエステル、ナイロン、塩化ビニル、ポリエチレンテレフタレート等の合成樹脂を例示することができる。
【００３０】
上述した構成の貼付剤１において、支持基材２及び剥離フィルム４は、その一方の外周縁の一部分が他方に接合されている。具体的に、支持基材２及び剥離フィルム４が同じ形状及び大きさであると、外周縁の一部分同士が接合される。剥離フィルム４の方が支持基材２よりも形が大きい場合は、支持基材２の外周縁の一部分が剥離フィルム４に接合され、支持基材２の方が剥離フィルム４よりも形が大きい場合は、剥離フィルム４の外周縁の一部分が支持基材２に接合されることになる。
【００３１】
なお、本実施形態では、支持基材２及び剥離フィルム４の外周縁同士が全周にわたって接合されおり、そのため、水性ゲル３は、支持基材２及び剥離フィルム４の内部に封入され、水性ゲル３の端面は露出していない。ここで、「外周縁が全周にわたって接合される」とは、支持基材（又は剥離フィルム）の外周縁が実質的に全周にわたって剥離フィルム（又は支持基材）に接合されていることを指し、支持基材（又は剥離フィルム）の外周縁の全てが剥離フィルム（又は支持基材）に接合されている状態に加えて、支持基材（又は剥離フィルム）の外周縁の大部分は剥離フィルム（又は支持基材）に接合されているものの一部分が剥離フィルム（又は支持基材）に接合されていない状態も含む。つまりは、貼付剤の製造時には支持基材（又は剥離フィルム）の外周縁が全周にわたって剥離フィルム（又は支持基材）に接合されていたものの、製造後の貼付剤１の輸送時や保管時等の使用前において、支持基材（又は剥離フィルム）の外周縁の一部分の接合が外れてしまった場合も含む。
【００３２】
支持基材２及び剥離フィルム４の接合の方法は、水性ゲル３の粘着性を介した接着でなければ特に限定されるものではなく、例えば、（１）支持基材２及び剥離フィルム４を公知の接着剤を用いて接合する方法、（２）支持基材２及び剥離フィルム４を熱圧着（ヒートシール）により接合する方法、又は、（３）支持基材２及び剥離フィルム４を重ね合わせた状態で剥離フィルム４側から外周縁に超音波振動を作用させることで剥離フィルム４を支持基材２に溶着させて接合する方法等、公知の種々の方法を用いることができる。
【００３３】
上述した構成の貼付剤１は、図示は省略するが、少なくとも一方向に貼付剤１が複数連続する貼付剤シートを、個々の貼付剤１に分断する切断ラインに沿って切断することで、効率よく製造することができる。ここで、貼付剤シートの切断時に、例えば超音波振動装置及び切断装置の間で貼付剤シートを挟持し、貼付剤シートの前記切断ラインにおいて超音波振動装置のホーンを剥離フィルム４に当接させて超音波振動を作用させながら切断装置のカット刃により貼付剤シートを切断することで、支持基材２及び剥離フィルム４の接合を切断とともに行うことができる。これにより、貼付剤の製造効率をさらに向上させることができる。さらに、水性ゲル３が支持基材２の外周縁の直近まで広範囲に積層されていても、水性ゲル３がカット刃に付着等することなく貼付剤シートを高精度に切断して切断面の綺麗な貼付剤１を製造することができるうえ、切断後の貼付剤１のライン搬送時に水性ゲルが貼付剤１の外周縁から漏れ出すことを防止することができる。そのため、支持基材２及び剥離フィルム４を接合する方法としては上記（３）の方法を用いることが好ましく、支持基材２及び剥離フィルム４の切断及び接合を良好に行うためには、支持基材２がポリエチレンテレフタレート樹脂繊維を素材とする不織布からなり、剥離フィルム４がポリプロピレンやポリエチレン等のポリオレフィン系樹脂からなることが好ましい。
【００３４】
貼付剤１における支持基材２及び剥離フィルム４の接合部５は、幅Ｗの小さい筋状であってもよいし、幅Ｗの多少大きな帯状であってもよいが、接合部５の幅Ｗは小さければ小さいほど、水性ゲル３を支持基材２の外周縁の直近まで広範囲に積層することができるので好ましい。水性ゲル３が支持基材２のほぼ全域に十分な厚みで積層されていることで、貼付剤１により所望の冷却力を及ぼすことができる皮膚の範囲を増大させることができるうえ、支持基材２の外周縁が水性ゲル３の粘着性により皮膚に良好に接着するので支持基材２の外周縁が捲れ上がり難くなることから、貼付剤１が皮膚から容易に剥がれるのを抑制することができる。
【００３５】
接合部５の幅Ｗは、上述した観点から、２．０ｍｍ以下であることが好ましく、１．０ｍｍ以下であることがより好ましく、０．５ｍｍ以下であることがさらに好ましい。また、接合部５の幅Ｗの下限は、支持基材２及び剥離フィルム４の接合強度の観点から、０．０５ｍｍ以上であることが好ましく、０．１ｍｍ以上であることがより好ましく、０．２ｍｍ以上であることがさらに好ましい。
【００３６】
上述した本実施形態の貼付剤１によると、支持基材２及び剥離フィルム４の外周縁の少なくとも一部分同士が接合されているため、水性ゲル３は、この接合部５近傍の部分においては、水性ゲル３の厚みが接合部５に向かうに連れて徐々に小さくなっている。そのため、図３（Ａ）に示すように、剥離フィルム４を剥がして露出した水性ゲル３を使用者の皮膚Ｓに当てた後、図３（Ｂ）に示すように、支持基材２を水性ゲル３の粘着性により皮膚Ｓに貼り付けると、貼付剤１の当該外周縁では支持基材２が水性ゲル３を包むような形となって、支持基材２の外周縁が使用者の皮膚から浮かずにくっついた状態で水性ゲル３の粘着性により皮膚Ｓに接着する。よって、支持基材２の外周縁が捲れ上がることを抑制することができるので、貼付剤１を皮膚から剥がれ難くすることができる。なお、支持基材２及び剥離フィルム４の外周縁が全周にわたって接合されていると、支持基材２の外周縁の全周が捲れ上がり難くなるので、貼付剤１を皮膚からさらに剥がれ難くすることができる。
【００３７】
また、本実施形態の貼付剤１は、支持基材２及び剥離フィルム４の外周縁の少なくとも一部分同士が接合されているので、剥離フィルム４の外周縁が捲れ上がって支持基材２から容易に剥がれるのを抑制することができる。
【００３８】
なお、支持基材２及び剥離フィルム４の外周縁が全周にわたって接合されていると、水性ゲル３は支持基材２及び剥離フィルム４の内部に持続的に封入されるため、水性ゲル３の乾燥等を防止することができる。
【００３９】
さらに、支持基材２及び剥離フィルム４の外周縁が全周にわたって接合されていると、輸送時や保管時等に貼付剤１の表面及び／又は裏面が押圧される等して水性ゲル３が圧迫されても、水性ゲル３が押し出されて貼付剤１の外周縁からはみ出すことを防止することができる。これにより、使用者が貼付剤１を使用する際に、使用者の手に水性ゲル３が付着すること等を防止することができる。
【００４０】
加えて、貼付剤１は、輸送時や保管時等においては包装箱（図示せず）内に複数重ねられた状態で収納されるため、貼付剤１は、他の複数の貼付剤１の重みを受けることで、水性ゲル３が圧迫される。従来では、水性ゲル３が圧迫されることで貼付剤１の外周縁からはみ出すおそれがあるため、包装箱内に中仕切りをセットし、中仕切りにて貼付剤１の重みを受けて水性ゲル３が圧迫されるのを防止していた。ただし、本実施形態の貼付剤１は、包装箱内で他の複数の貼付剤１の重みにより水性ゲル３が圧迫されても、水性ゲル３が貼付剤１の外周縁からはみ出ないため、中仕切りが不要となり、その分、コスト低減を図ることができる。
【００４１】
加えて、水性ゲル３の水分含有量が多くて流動性が高くても、水性ゲル３が貼付剤１の外周縁から漏れ出さない。そのため、従来であれば、貼付剤の製造時において、貼付剤シートを個々の貼付剤へ切断した後に水性ゲル３を固めるための処理が必要であったが、本実施形態の貼付剤１によれば、この処理工程を不要とする又は処理時間を短縮することができるので、工程時間の短縮によって貼付剤の製造効率を向上させることができる。
【００４２】
以上、本発明の実施形態について説明したが、本発明は上記実施形態に限定されるものではなく、本発明の趣旨を逸脱しない限りにおいて種々の変更が可能である。
【００４３】
例えば、上記実施形態において、支持基材２及び剥離フィルム４は、一方の外周縁が全周にわたって他方に接合されているが、一方の外周縁の一部分だけが剥離フィルム４に接合されていてもよい。例えば、支持基材２及び剥離フィルム４が平面視矩形状（正方形状及び長方形状を含む）を呈しているときには、支持基材２及び剥離フィルム４の対向する一対の辺同士が少なくとも接合されていればよい。
【００４４】
また、上記実施形態において、支持基材２及び剥離フィルム４は同じ形状であるが、支持基材２及び剥離フィルム４の一方の外周縁の少なくとも一部分が他方に接合されていれば、支持基材２と剥離フィルム４とで形状が異なっていてもよい。
【００４５】
また、上記実施形態において、貼付剤１は、支持基材２、水性ゲル３及び剥離フィルム４の三層構造であるが、その他の層を有していてもよい。
【符号の説明】
【００４６】
１    貼付剤
２    支持基材
３    水性ゲル
４    剥離フィルム
【図１】
2019208691.tif 000003
【図２】
2019208691.tif 000004
【図３】
2019208691.tif 000005
【図４】
2019208691.tif 000006
【図５】
2019208691.tif 000007